(57)【要約】【課題】シャフトチップ移行遅れを防止でき、右方向へ曲がるミスショットを減少できる隠蔽式おもり構造のゴルフシャフトを提供する。【解決手段】シャフト１０は、樹脂を含浸した繊維シートを何層も捲きつけて成形され、シャフトチップ１１より１００ミリメートルの距離からシャフトバット１２まで２５０ミリメートルの距離の間の繊維シートの内層に幅が１０ミリメートルから５０ミリメートルで重量が１キログラムから２キログラムのおもり１４が設けられている。おもり１４は、シャフト１０と同一の材質による繊維シートであり、それと貼り合わせる内層の繊維シートと同一繊維方向の配列で捲きつけて成形されている。シャフト１０の特定部位におもり１４を形成することで、シャフトチップ１１の移行速度を使用者の手部の移行速度に追い付かせることができる。【選択図】図１
0003120128.tif 000002
【実用新案登録請求の範囲】
【請求項１】
隠蔽式おもり構造のゴルフシャフトにおいて、前記シャフトは樹脂を含浸した繊維シートを何層も捲きつけて成形され、シャフトチップより１００ミリメートルの距離からシャフトバットまで２５０ミリメートルの距離の間の繊維シートの内層に、幅が１０ミリメートルから５０ミリメートルで重量が１キログラムから２キログラムのおもりが設けられていることを特徴とする隠蔽式おもり構造のゴルフシャフト。
【請求項２】
前記おもりは、シャフトと同一の材質による繊維シートであり、それと貼り合わせる内層の繊維シートと同一繊維方向の配列で捲きつけて成形されていることを特徴とする請求項１記載の隠蔽式おもり構造のゴルフシャフト。
【請求項３】
前記シャフトの内層は、樹脂に含浸した２枚の繊維シートの局部を重ねてつなげることにより成形され、さらに重ねてつなげられた部位において前記おもりが形成されていることを特徴とする請求項１記載の隠蔽式おもり構造のゴルフシャフト。
【請求項４】
前記シャフトは、最内層が樹脂を含浸する２枚の繊維シートの局部を重ねてつなげられているものであることを特徴とする請求項１記載の隠蔽式おもり構造のゴルフシャフト。
【考案の詳細な説明】
【技術分野】
【０００１】
本考案はゴルフシャフトに関し、特に、隠蔽式おもり構造を備えた複合材料によるゴルフシャフトに関する。
【背景技術】
【０００２】
高級な複合材料によるゴルフクラブ（Golf Club）には、最適なショット効果を獲得するため、シャフト自体が備える特別な撓みフレキシビリティ、剛性、ねじり力、重心、重量配分等条件を利用し、個々のヘッド（Head）に対してそれぞれ個別のシャフト（Shaft）を選択し、組み合わせるという設計がなされている。考案者は、上記に挙げた多種の条件組み合わせを考慮した後、カーボンクラブのスイングショット時におけるシャフトチップの移行位置が打撃者の手部の移行位置（follow through）より若干遅れ（即ち、シャフト剛性不足）、外側に向かってゴルフボールが曲がっていくスライス（Slice）を容易に生み出すことに気付いた。この問題は、単純にシャフト剛性を増加すれば解決できるものではなく、シャフト弾性を失わせ、重量配分の問題を引き起こすことにつながる。
【考案の開示】
【考案が解決しようとする課題】
【０００３】
本考案の主な目的は、上述したシャフトチップ移行遅れの問題解決と、右方向へ曲がるミスショットを減少させることが可能な隠蔽式おもり構造のゴルフシャフトを提供することである。
本考案のもう一つの目的は、シャフト外観には目立った変化が見られず、使用者が意外な心理的反応を引き起こさないような市場ニーズに見合った隠蔽式おもり構造のゴルフシャフトを提供することである。
【課題を解決するための手段】
【０００４】
上述の目的を達成するため、本考案が提供する隠蔽式おもり構造のゴルフシャフトは、樹脂を含浸した繊維シートを何層も捲きつけて成形されたものである。シャフトチップより１００ミリメートルの距離からシャフトバットまで２５０ミリメートルの距離の間の繊維シートの内層に幅が１０ミリメートルから５０ミリメートルで重量が１キログラムから２キログラムのおもりを設ける。このように、右方向へ曲がるミスショットを改善するためにシャフトの特定部位におもりを形成することで、シャフトチップの移行速度を使用者の手部の移行速度に追い付かせることができる。
本考案のもう一つの特徴は、前述のおもりは２枚の繊維シートの局部を重ねてつなげて形成したものであり、これにより、簡単に行える隠蔽式おもり構造が提供される。
【考案を実施するための最良の形態】
【０００５】
以下に図面を挙げ、二つの実施例を説明する。
図１より図３は、本考案の第一実施例による隠蔽式おもり構造のゴルフシャフト１０を示している。該シャフトは、エポキシ樹脂を含浸したカーボン繊維の繊維シートを何層も捲きつけて成形したものであり、全長は１１８０ミリメートルである。シャフト１０のチップ（tip）１１より１００ミリメートルの距離からシャフトバット（butt）１２まで２５０ミリメートルの距離の間の繊維シートの内層１３に幅が１０ミリメートルから５０ミリメートルで重量が１キログラムから２キログラムのおもり１４を設ける。本実施例では、チップから５５０ミリメートルの距離の所に幅が２０ミリメートルで重量が１．５キログラムの樹脂を含浸したカーボン繊維シート１４を設け、繊維シート１４の繊維方向は内層繊維シート１３の繊維走向と同一であり、共に＋４５°である。さらに、その上に−４５°の繊維シート１５と２枚の０°を呈する配列の繊維シート１６と繊維シート１７を設ける。このほか、シャフトチップおよびバットに局部を補強した繊維シート（図示せず）を別に設けているが、この部分は従来のものである。このように、シャフトの特定部位におもりを形成することで、シャフトのスイング時、おもりがシャフトチップの移行速度を手部の移行速度に追い付かせるようにするため、ヘッドが外側に傾くミスを改善し、ゴルフボールが右方向に曲がっていくスライスを減少させる効果をもたらす。
【０００６】
図４より図６は、本考案の第二実施例による隠蔽式おもり構造のゴルフシャフト２０を示す。エポキシ樹脂を含浸した炭素繊維の繊維シートを何層も捲きつけて成形したものであるが、第一実施例との最大の区別は、第二実施例では小さな片状の繊維シートにより形成されたおもりではなく、２枚の繊維シート２３と繊維シート２４の局部を重ねてつなげたおもりであるという点である。そのうち、１枚の繊維シート２３は長さが５７０ミリメートルで、もう１枚の繊維シート２４は長さが６３０ミリメートルであり、重なってつながる部位の幅は２０ミリメートルで、全長が１１８０ミリメートルの内層を形成する。幅が２０ミリメートルで重量が１．５キログラムのおもり２５は前述の繊維シート２３及び繊維シート２４と同一の繊維方向を有し、共に＋４５°である。したがって、重なってつながるエリアが形成するおもり２５もまた同一の繊維方向を有し、その上に１枚の−４５°の繊維シート２６と０°を呈する２枚の繊維シート２７と繊維シート２８を重ねて設ける。もちろん、チップ２１およびバット２２に局部を補強する繊維シート（図示せず）をさらに備えることができる。
【０００７】
本考案のおもりはゴルフシャフトと同一の材質であり、且つそれと貼り合わせる層は同一の繊維方向を有する。したがって、ゴルフシャフト本来の弾性、剛性、パワー等特性に影響を与えず、また、増加したおもりはシャフトチップの移行位置を適度に修正調整することが可能で、ショットが右方向へ曲がり易いミスを解決でき、さらにショットの球筋をコントロールまたは変更することができる。本考案のおもりはゴルフシャフト内部に隠蔽され、外観上ほとんど何も変わった様子が見られないため、使用者が心理的に異様さを感じることが避けられる。本考案の隠蔽式おもり構造は、容易に生産でき、第二実施例が示す繊維シートを重ねてつなげる方式のように生産上において極めて簡易である。また、元からの捲きつけによる生産方式は未だ変わらず、巧みな手法により隠蔽式おもりの効果を獲得できる。
【図面の簡単な説明】
【０００８】
【図１】本考案の第一実施例による隠蔽式おもり構造のゴルフシャフトを示す断面図である。
【図２】図１の円で囲んだ部位を拡大した図である。
【図３】本考案の第一実施例による隠蔽式おもり構造のゴルフシャフトの繊維シート積層を示す模式図である。
【図４】本考案の第二実施例による隠蔽式おもり構造のゴルフシャフトを示す断面図である。
【図５】図４の円で囲んだ部位を拡大した図である。
【図６】本考案の第二実施例による隠蔽式おもり構造のゴルフシャフトの繊維シート積層を示す模式図である。
【符号の説明】
【０００９】
１０  シャフト、１１  シャフトチップ、１２  シャフトバット、１３  内層繊維シート、１４  繊維シート、１５  繊維シート、１６  繊維シート、１７  繊維シート、２０  シャフト、２１  チップ、２２  バット、２３  繊維シート、２４  繊維シート、２５  おもり、２６  繊維シート、２７  繊維シート、２８  繊維シート
【図１】
0003120128.tif 000003
【図２】
0003120128.tif 000004
【図３】
0003120128.tif 000005
【図４】
0003120128.tif 000006
【図５】
0003120128.tif 000007
【図６】
0003120128.tif 000008